(57)【要約】【課題】トイレットペーパーをセットする操作が安全・容易、構造が極めて簡単、低製造コストで、量産に適した片手操作式トイレットペーパーホルダーを得る。【解決手段】ロールペーパー（トイレットペーパー）の中心孔に挿入されてこのロールペーパーを回動自在に支持する芯軸、先端部に下向きのペーパカッターと、後端部にロールペーパーの外周面を押圧する押圧部を有し、中間部が設けた支軸によって支持されたシーソー式カッター部、シーソー式カッター部の後端部に形成されロールペーパーの巻き端部を引き出す後端部側開口、及びシーソー式カッター部の先端部に形成され、支軸部で吊持されたロールペーパーの巻き端部を垂下させる先端部側開口を備え、先端部の支軸と下向きのペーパカッター間の距離を、次回使用時のつまみ代を確保する長さに設定したものである。【選択図】図１
0003149796.tif 000002
【実用新案登録請求の範囲】
【請求項１】
ホルダー本体の両側壁間に跨って取り付けられ、ロールペーパーの中心孔に挿入されてこのロールペーパーを回動自在に支持する芯軸、
先端部に下向きのペーパカッターを有すると共に、後端部に前記カッターによる切断時前記ロールペーパーの外周面を押圧しロールペーパーの回動を阻止する押圧部を有し、中間部が前記ホルダー本体の両側部間に跨って設けた支軸によって支持されたシーソー式カッター部、前記支軸を境にして前記シーソー式カッター部の後端部に形成され前記ロールペーパーの巻き端部を引き出す後端部側開口、及び前記支軸を境にして前記シーソー式カッター部の先端部に形成され、前記支軸部で吊持された前記ロールペーパーの巻き端部を垂下させる先端部側開口を備え、前記先端部の前記支軸と下向きのペーパカッター間の距離は、前記先端部側開口から垂下した前記ロールペーパーの巻き端部を前記カッターで切断する際、次回使用時のつまみ代を確保する長さに設定したことを特徴とするトイレットペーパーホルダー。
【請求項２】
前記ロールペーパーは、その巻き終わり端部が芯軸の取り付け位置の外側で垂れ下がる向きに前記芯軸に取り付けることを特徴とする請求項１記載のトイレットペーパーホルダー。
【請求項３】
前記ロールペーパーは、その巻き終わり端部が芯軸の取り付け位置の内側で垂れ下がる向きに前記芯軸に取り付けることを特徴とする請求項１記載のトイレットペーパーホルダー。
【請求項４】
請求項１記載のトイレットペーパーホルダーを並設することにより構成されたトイレットペーパーホルダー収納ボックス。
【考案の詳細な説明】
【技術分野】
【０００１】この考案は、トイレットペーパーを片手で切断操作できるトイレットペーパーホルダーとその収納ボックスに関するものである。
【背景技術】
【０００２】特許文献１に示された従来の片手で切断操作できるトイレットペーパーホルダーは、トイレットペーパーホルダーの上部に、ペーパー引出し用の受け皿兼引き出し用開口部の開閉機能とペーパー切断のカッターとを一体にした部品をシーソー式に作動するよう取り付けたものである。
すなわち、トイレットペーパーホルダーの上部に、ペーパー引出し用の受け皿兼引出し用開口部の開閉機能とペーパー切断のカッターを一体にした部品を回転軸に取り付け、この部品によるシーソー装置で、ペーパーを使用する時は、引出し口を開け片手でペーパーを引出し、切断時は引き出したペーパーを下方に引くことによりペーパーを切断することができるようにしたものである。
特許文献２に示された従来の片手で切断操作できるトイレットペーパーホルダーは、トイレットペーパーホルダの取付部を設けた固定部とこれの両縁から延び、ロールペーパーを保持するためのロールペーパー保持部とを有するホールド基部と、ロールペーパー保持部の内側に刻設され、側壁に凹凸を設けたスライダー溝と、前記スライダー溝の幅よりも幅が狭く該スライダー溝に嵌合する２つのスライダー間を結合するスライダー固定板と、スライダー溝の側壁側に該凹凸と嵌脱自在な山状突起と、スライダーに対して回転自在で一方端に切断片と他方端に制動片を有し、回転軸から凹凸切断片までの切断片の長さが該回転軸からブレーキ端縁までの制動片の長さよりも長く形成された紙切断部と、を具備してなるものである。【０００３】
【特許文献１】特開２００３−６１８６３号公報
【特許文献２】特開２００１−３２７４３１号公報
【考案の開示】
【考案が解決しようとする課題】
【０００４】  特許文献１に示された従来の片手操作式トイレットペーパーホルダーでは、トイレットペーパーをセットする操作が面倒であり、また切断操作のときトイレットペーパーを下向きに引っ張る方式であり、現在もっとも普及しているトイレットペーパーホルダーの切断方向とは反対方向の切断操作を行わねばならず、使い勝手が不自由であり操作に戸惑うことになる。特に切断刃が上向きのため、使用上危険なものであった。
特許文献２に示された従来の片手操作式トイレットペーパーホルダーでは、固定部とロールペーパー保持部とを有するホールド基部と、スライダー溝と、スライダー固定板と、山状突起と、切断片と制動片などを備えているため、構造が極めて複雑であり、製造コストがかかり、さらに量産に適さないものであった。
【課題を解決するための手段】
【０００５】  この考案に係わるトイレットペーパーホルダーは、ホルダー本体の両側壁間に跨って取り付けられ、ロールペーパー（トイレットペーパー）の中心孔に挿入されてこのロールペーパーを回動自在に支持する芯軸、先端部に下向きのペーパカッターを有すると共に後端部に前記ロールペーパーの外周面を押圧する押圧部を有し、中間部が前記ホルダー本体の両側部間に跨って設けた支軸によって支持されたシーソー式カッター部、上記支軸を境にして上記シーソー式カッター部の後端部に形成され上記ロールペーパーの巻き端部を引き出す後端部側開口、及び上記支軸を境にして上記シーソー式カッター部の先端部に形成され、前記支軸部で吊持された前記ロールペーパーの巻き端部を垂下させる先端部側開口を備え、上記先端部の前記支軸と下向きのペーパカッター間の距離は、前記先端部側開口から垂下した前記ロールペーパーの巻き端部を前記カッターで切断する際、次回使用時のつまみ代を確保する長さに設定したものである。
【考案の効果】
【０００６】この考案のトイレットペーパーホルダーによれば、使用時に両手を必要とせず片手でトイレットペーパーの切断操作ができるほか、ペーパーの切断時ペーパーのロール部が完全に固定されるのでロールペーパーを確実に切断でき、カッター付トイレットペーパーホルダーを片手で楽に操作できるほか、切断刃が下向きに取り付けられているので、特許文献１に記載のものに比べ安全である。
また、特許文献２に記載のものに比べ構造が簡単なため量産に適し製造コストを低減できるので安価な製品をつくることができる。
【考案を実施するための最良の形態】
【０００７】以下、図面に基づいて、この考案の各実施の形態を説明する。
なお、各図間において、同一符号は同一あるいは相当部分を示す。【０００８】実施の形態１．
この考案の実施の形態１であるトイレットペーパーホルダーは、トイレットペーパーをその巻き終わり端部が芯軸の取り付け位置の外側で垂れ下がる向きに取り付けたものである。
図１から図３は、この考案の実施の形態１であるトイレットペーパーホルダーを示し、図１は一部を切欠いて示す斜視図、図２はその正面図、図３は略式の側断面図である。
この実施の形態１におけるトイレットペーパーホルダーでは、ロールペーパー３は、その巻き終わり端部３ｂが芯軸４の取り付け位置の外側で垂れ下がる向きに芯軸４に取り付けられ、ロールペーパー３は、図１のように垂れ下がり、次回使用時のつかみ代を確保して使用するものである。
トイレットペーパーホルダー１は、ホルダー本体１ａの両側壁部１ｂ、１ｃ間に跨って着脱自在に取り付けられた芯軸４と、ホルダー本体の上部１ｄに設けられたシーソー式カッター部５とを備えている。
ロールペーパー３は、中心孔３ａを芯軸４に挿入することにより回動自在に支持される。
シーソー式カッター部５は、その中間部がホルダー本体の両側部すなわち両腕部１ｅ、１ｆ間に跨って設けた支軸６によって支持され、その先端部には下向きのペーパカッター５ａが設けられ、後端部には、ロールペーパーの弛み止めとロールペーパー３の切断時にこれを固定するため、ロールペーパー３の外周面を押圧する押圧部５ｂを有している。
更に、シーソー式カッター部５の後端部すなわち押圧部５ｂと支軸６との間には、支軸６を境にしてロールペーパーの巻き端部を引き出す後端部側開口７が形成され、先端部すなわちカッター５ａと支軸６との間には、支軸６を境にして支軸６の部分で吊持されたロールペーパーの巻き端部を垂下させる先端部側開口８が形成されている。
なお、開口部７は、ロールペーパー３の上方に位置するシーソー式カッター部５の後端部側に設けられ、ロールペーパーの巻き終わり端部３ｂを通すペーパーの引出し口を形成し、この開口部７は巻き終わり端部３ｂの引出しを容易にするためできるだけ大口にすればよい。また開口部８は、支軸６より先端部側のカッター部５に設けられ、ロールペーパーの巻き終わり端部３ｂを垂れ下げるペーパーの垂れ下げ口を形成している。なお１ｇは、ホルダー本体の上部１ｄを開閉する蓋部である。
なお、支軸６と下向きのペーパカッター５ａ間の距離は、先端部側開口８から垂下したロールペーパーの巻き端部をペーパカッター５ａで切断する際、次回使用時のつまみ代を確保する長さに設定されている。【０００９】次に図３に基づいて使用法を説明する。
ロールペーパー３をトイレットペーパーホルダーに取り付けた場合、まず巻き終わり端部３ｂを、開口部７を通して支軸６に吊り掛け、その後、開口部８から下向きに吊るし使用可能な状態にする。したがって、ロールペーパー３は、Ｋ１の方向に回転する。
ロールペーパー３を使用するときは、ロールペーパーの巻き端部３ｂを所定の長さ３ｂ１（約６０センチ）引き下げた後、ペーパカッター５ａに当てた状態で引き上げ（Ｃ１方向）、カッター５ａで引き上げ部分３ｂ２を切断する。この切断動作時にシーソー式カッター部自体を支軸６を支点にしてシーソー状に動作（矢印Ａ・Ｂ方向に）させ、押圧部５ｂでロールペーパーの外周面３ｃを押圧してロールペーパー３の回動を阻止する。
したがって、ロールペーパー３は、固定状態で確実に切断することができる。
なお、押圧部５ｂは、ロールペーパーの弛み止めのため自重で常時ロールペーパー３の外周面を押圧する押圧力を有する。
支軸６より先端部側のカッター部５の長さＳ（図４参照）は、たとえば５センチくらいの長さにすることにより、ロールペーパー３は切断後５センチくらい確実に垂れ下げることができるので、次回使用するときのつかみ代を確保でき、片手で操作するとき非常に便利であるなどの工夫を凝らしてある。
なお、図４に示した角度Ｒは、ロールペーパー３の使用が進みロールが小径になった場合でも確実に切断するため５０度くらいの角度にしておくことが望ましい。【００１０】実施の形態２．
図５はこの考案の実施の形態２におけるトイレットペーパーホルダーを示す斜視図、図６は正面図である。
実施の形態１では前記ロールペーパー３は、その巻き終わり端部３ｂが芯軸４の取り付け位置の外側で、垂れ下がる向きの状態で芯軸４に取り付けられていたが、この考案の実施の形態２におけるトイレットペーパーホルダーでは、ロールペーパー３は、その巻き終わり端部３ｂが芯軸４の取り付け位置の内側で垂れ下がる向きにして芯軸４に取り付けられ、ロールペーパー３は、図５、図６のように垂れ下げ使用するものである。したがって、図５に示すロールペーパー３は、Ｋ２の方向に回転する。なお、実施の形態２では、開口７を設ける必要がなくなる。
使用法は実施の形態１とほぼ同様のため説明を省略する。【００１１】実施の形態３．
実施の形態３は、実施の形態１又は実施の形態２に記載のトイレットペーパーホルダーを並設することにより構成されたトイレットペーパーホルダー収納ボックスである。
図７は、実施の形態３におけるトイレットペーパーホルダー収納ボックスの斜視図、図８はトイレットペーパーホルダー収納ボックスの正面図である。
図において、１、１１はトイレットペーパーホルダー本体、３、３１はロールペーパー、９、９１は予備のロールペーパー入れ、１０は使用済みのロールペーパー芯入れ（引き出し式）、１０１は汚物入れ（引き出し式）である。
図７、図８のように、トイレットペーパーホルダー本体１、１１は、予備を含め左右２箇所に設置する。ロールペーパー入れ９、９１は、扉式とし、この中に使用前のロールペーパーを収納する。
トイレットペーパーホルダー収納ボックスは、これらトイレットペーパーホルダー本体１、１１、予備のロールペーパー入れ９、９１、使用済みのロールペーパー芯入れ１０、汚物入れ１０１などで構成され、トイレ内のスペースが許せば３列以上（図７、図８では２列）にすることもできる。
【図面の簡単な説明】
【００１２】
【図１】この考案の実施の形態１におけるトイレットペーパーホルダーを示す斜視図である。
【図２】この考案の実施の形態１におけるトイレットペーパーホルダーを示す正面図である。
【図３】この考案の実施の形態１におけるトイレットペーパーホルダーを示す略式の側断面図である。
【図４】この考案の実施の形態１におけるトイレットペーパーホルダーのシーソー式カッター部を示し（ａ）は平面図、（ｂ）は斜視図である。
【図５】この考案の実施の形態２におけるトイレットペーパーホルダーを示す斜視図である。
【図６】この考案の実施の形態２におけるトイレットペーパーホルダーを示す正面図である。
【図７】この考案の実施の形態３におけるトイレットペーパーホルダーの収納ボックスの斜視図である。
【図８】この考案の実施の形態３におけるトイレットペーパーホルダーの収納ボックスの正面図である。
【符号の説明】
【００１３】１、１１  トイレットペーパーホルダー本体
１ａ  ホルダー本体
１ｂ、１ｃ  ホルダー本体の両側壁部
１ｄ  ホルダー本体の上部
１ｅ、１ｆ  ホルダー本体の両腕部
３、３１  ロールペーパー
３ａ  ロールペーパー（トイレットペーパー）の中心孔
３ｂ  ロールペーパーの巻き終わり端部
４  芯軸
４ａ、４ｂ  芯軸の軸受け
５  シーソー式カッター部
５ａ  下向きペーパカッター
５ｂ  ロールペーパーの外周面を押圧する押圧部
６  支軸
７、８  ロールペーパーの巻き終わり端部３ｂを通す開口部
Ｋ１、Ｋ２  ロールペーパーの回転方向
９、９１  予備のロールペーパー入れ
１０  使用済みのロールペーパー芯入れ
１０１は汚物入れ。
【図１】
0003149796.tif 000003
【図２】
0003149796.tif 000004
【図３】
0003149796.tif 000005
【図４】
0003149796.tif 000006
【図５】
0003149796.tif 000007
【図６】
0003149796.tif 000008
【図７】
0003149796.tif 000009
【図８】
0003149796.tif 000010